(57)【要約】  孔の縁部に筐体の係止部が当接して、シートを係止部に確実に係止することができ、シートにがたつき及び破断が生じず、不良の発生が抑制され、高精度に組み立てられる表示装置を提供する。  ＴＶ受信機の表示モジュールは、前側に画面を有する矩形状の表示パネルと、矩形状をなし、表示パネルの後方に配置され、周縁部に複数の孔２４１を有する光学シート２４と、表示パネルに後方から光を照射する光源と、光源を収納し、周縁部に、孔２４１の縁部に夫々係止される複数の係止部２９を有するＢＬシャーシ２８とを備える。係止部２９は、孔２４１の縁部に当接するように、位置又は向きを調整可能に構成されている。
2016084155.tif 000002
【特許請求の範囲】
【請求項１】
前側に画面を有する矩形状の表示パネルと、矩形状をなし、前記表示パネルの後方に配置され、周縁部に複数の孔を有するシートと、前記表示パネルに後方から光を照射するための光源と、該光源を収納し、周縁部に、前記孔の縁部に夫々係止される複数の係止部を有する筐体とを備える表示装置において、
前記係止部は、前記孔の縁部に当接するように、位置又は向きを調整可能に構成されていることを特徴とする表示装置。
【請求項２】
前記孔は前記係止部より大きいことを特徴とする請求項１に記載の表示装置。
【請求項３】
前記係止部は、平板状の当接部と、該当接部の一面の一端部に垂直に設けられた軸部とからなり、
前記筐体の前記周縁部は、前記軸部を嵌合する孔を有し、
該孔に前記軸部を嵌合した状態で、前記当接部を回転可能に構成されていることを特徴とする請求項１又は２に記載の表示装置。
【請求項４】
前記当接部の一面の他端部に垂直に突起部が設けられ、
前記周縁部は、前記突起部を嵌合する複数の孔を有することを特徴とする請求項３に記載の表示装置。
【請求項５】
前記当接部は、平面形状が砲弾状又は多角形状をなすことを特徴とする請求項３又は４に記載の表示装置。
【請求項６】
前記係止部は、直方体をなす支持部と、楕円板状をなし、長径方向が前記支持部の長手方向と一致する状態で、前記支持部に重ね合わされた当接部とからなり、
前記支持部の長手方向の両端部に、三角柱状をなす突起部が設けられており、
前記筐体の前記周縁部に、前記支持部及び前記突起部を嵌合する嵌合部が、前記周縁部の幅方向に複数並設されていることを特徴とする請求項１又は２に記載の表示装置。
【請求項７】
矩形板状をなし、前記光源から入射した光を前記表示パネルの後面側に出射する導光板又は拡散板を備え、
前記シートは、前記表示パネルと、前記導光板又は前記拡散板との間に配置される光学シートであることを特徴とする請求項１から６までのいずれか１項に記載の表示装置。
【発明の詳細な説明】
【技術分野】
【０００１】
本発明は、前側に画面を有する表示パネルと、表示パネルの後方に配置され、周縁部に複数の孔を有するシートと、表示パネルに後方から光を照射するための光源と、光源を収納し、周縁部に、前記孔に夫々係止される複数の係止部を有する筐体とを備える表示装置に関する。
【背景技術】
【０００２】
表示装置としての液晶表示装置は、薄型、低消費電力を特徴とし、近年、その表示品位の向上により、従来のＣＲＴに代わるディスプレイとして普及しており、テレビジョン受信機（以下、ＴＶ受信機という）の画像表示装置としても幅広く用いられている。液晶表示装置は、自己発光型のデバイスとは異なり、光源としてのバックライトを必要とし、液晶の電気光学特性により決定される光透過率を制御して画像を表示する。【０００３】
バックライトにはエッジ型（サイドライト方式、導光板方式）と直下型とがある。
エッジ型のバックライトを有する液晶表示装置として、薄型化、軽量化、狭額縁化を実現するために、矩形箱状のシャーシ［ＢＬ（バックライト）シャーシ］に、導光板、光学シート、及びＬＥＤ(Light Emitting Diode)基板を収納してなるバックライトユニットを液晶表示パネル（以下、表示パネルという）の背面に配した表示モジュールをフレームで覆ったものが挙げられる。ＬＥＤ基板は、細長い基板の平面に、複数のＬＥＤを実装してなる。バックライトユニットが片側のエッジライト型である場合、ＬＥＤ基板は、矩形板状の導光板の一方の長側面に配される。ＬＥＤから発光し、導光板の長側面に入射した光は導光板の主面から出射して、液晶表示パネルの背面を照射する。【０００４】
バックライトユニットが直下型である場合、シャーシの底面に複数のＬＥＤ基板が設けられ、各ＬＥＤを覆う拡散レンズが露出する状態で、該底面に反射シートが載置され、拡散レンズから少し開口側に拡散板が配置され、拡散板の上側に、光学シートが配置される。【０００５】
いずれのタイプの表示装置においても、シャーシの開口縁部の上辺側に複数の係止部を設け、光学シートに孔を設けておき、孔の縁部に係止部を係止して光学シートを吊り下げるように構成されていることが多い。【０００６】
特許文献１には、シャーシの周縁部に平面形状が円形の係止部を設け、厚さ１ｍｍ以下の導光フィルム及び光学シートに夫々、係止部より少し大径の楕円形状の孔を設けておき、夫々の孔の縁部に係止部を係止することで、導光フィルム及び光学シートが撓むことなく、シャーシに吊り下げられるように構成したバックライト装置の発明が開示されている。
【先行技術文献】
【特許文献】
【０００７】
【特許文献１】特開２０１２−１１３８７３号公報
【発明の概要】
【発明が解決しようとする課題】
【０００８】
近年、表示装置の大型化が進み、公差が大きくなり、また、シャーシの開口縁部も反り易くなっている。
反り又は誤差等により、係止部が一直線上に並ばず、一部の係止部がずれている場合、シートの孔は一直線上に並んでいるので、シートをシャーシの開口縁部に重ね合わせたとき、孔の上辺に当接していない係止部が存在することになる。このとき、シートの荷重が、孔の上辺に当接している係止部に集中するので、破れ及びがたつき等の問題が生じることがある。
特許文献１のバックライト装置においても、シャーシの周縁部の反り及び誤差等によって、孔に係止されない係止部が生じる場合があり、導光フィルム又は光学シートを周縁部から吊り下げることができないときがあるという問題があった。【０００９】
本発明は斯かる事情に鑑みてなされたものであり、シートの孔の縁部に筐体の係止部が当接して、シートを係止部に確実に係止することができ、シートにがたつき及び破断が生じず、不良の発生が抑制され、高精度に組み立てられる表示装置を提供することを目的とする。
【課題を解決するための手段】
【００１０】
本発明に係る表示装置は、前側に画面を有する矩形状の表示パネルと、矩形状をなし、前記表示パネルの後方に配置され、周縁部に複数の孔を有するシートと、前記表示パネルに後方から光を照射するための光源と、該光源を収納し、周縁部に、前記孔の縁部に夫々係止される複数の係止部を有する筐体とを備える表示装置において、前記係止部は、前記孔の縁部に当接するように、位置又は向きを調整可能に構成されていることを特徴とする。【００１１】
本発明においては、筐体の周縁部の反り、及び誤差等により、係止部が孔の縁部からずれている場合に、係止部の位置又は向きを調整することで、係止部を孔の縁部に確実に当接させ、係止部にシートを係止させることができる。シートの荷重が一部の係止部に集中しないので、シートにがたつき及び破断が生じず、不良の発生が抑制され、高精度に表示装置が組み立てられ得る。【００１２】
本発明に係る表示装置は、前記孔は前記係止部より大きいことを特徴とする。【００１３】
本発明においては、孔の内側に係止部が存在している状態で、係止部を取り外すことなく、すなわち、孔の高さ方向の係止部の位置を変えずに、係止部の向きを変えることで、係止部を孔の縁部に当接させることができる。【００１４】
本発明に係る表示装置は、前記係止部は、平板状の当接部と、該当接部の一面の一端部に垂直に設けられた軸部とからなり、前記筐体の前記周縁部は、前記軸部を嵌合する孔を有し、該孔に前記軸部を嵌合した状態で、前記当接部を回転可能に構成されていることを特徴とする。【００１５】
本発明においては、孔に軸部を嵌合した状態で、当接部を回転させることにより、容易に係止部の向きを変えて係止部を孔の縁部に当接させることができる。【００１６】
本発明に係る表示装置は、前記当接部の一面の他端部に垂直に突起部が設けられ、前記周縁部は、前記突起部を嵌合する複数の孔を有することを特徴とする。【００１７】
本発明においては、適宜の孔に突起部を嵌合することで、容易に係止部の傾斜角度を変えることができ、係止部を確実に周縁部に固定することができる。【００１８】
本発明に係る表示装置は、前記当接部は、平面形状が砲弾状又は多角形状をなすことを特徴とする。【００１９】
当接部の平面形状が砲弾状である場合、係止部を動かすことで容易に孔の縁部に当接させることができる。
当接部の平面形状が多角形状である場合、係止部が孔の縁部に、「点」ではなく、「辺」で接触するので、シートの荷重が分配され、シートの破断がより抑制される。【００２０】
本発明に係る表示装置は、前記係止部は、直方体をなす支持部と、楕円板状をなし、長径方向が前記支持部の長手方向と一致する状態で、前記支持部に重ね合わされた当接部とからなり、前記支持部の長手方向の両端部に、三角柱状をなす突起部が設けられており、前記筐体の前記周縁部に、前記支持部及び前記突起部を嵌合する嵌合部が、前記周縁部の幅方向に複数並設されていることを特徴とする。【００２１】
本発明においては、支持部及び突起部を適宜の位置の嵌合部に嵌合することで、容易に当接部の位置を変えて当接部を孔の縁部に当接させることができる。【００２２】
本発明に係る表示装置は、矩形板状をなし、前記光源から入射した光を前記表示パネルの後面側に出射する導光板又は拡散板を備え、前記シートは、前記表示パネルと、前記導光板又は前記拡散板との間に配置される光学シートであることを特徴とする。【００２３】
本発明においては、縁部を筐体の周縁部に合わせて筐体に吊り下げる光学シートにがたつき及び破断が生じることなく、高精度に表示装置が組み立てられ得る。
【発明の効果】
【００２４】
本発明によれば、係止部がシートの孔の縁部に当接するように、位置又は向きを調整可能に構成されているので、係止部が孔の縁部からずれている場合に、係止部の位置又は向きを調整して係止部を孔の縁部に確実に当接させ、係止部にシートを係止させることができる。シートの荷重が一部の係止部に集中しないので、シートにがたつき及び破断が生じず、不良の発生が抑制され、高精度に表示装置が組み立てられ得る。
【図面の簡単な説明】
【００２５】
【図１】本発明の実施の形態１に係る表示装置（表示モジュール）を備えるＴＶ受信機の前側の外観斜視図である。
【図２】表示モジュールの分解斜視図である。
【図３Ａ】ＢＬシャーシの開口縁部及び光学シートを示す模式的側面図である。
【図３Ｂ】孔の縁部に係止部が係止された状態を示す一部拡大図である。
【図４Ａ】係止部の平面図である。
【図４Ｂ】係止部の孔に対する係止状態を示す模式的側面図である。
【図５Ａ】係止部の側面図、及びＢＬシャーシの一部側面図である。
【図５Ｂ】係止部の回転を説明するための説明図である。
【図６Ａ】本発明の実施の形態２に係る係止部の平面図である。
【図６Ｂ】係止部の孔に対する係止状態を示す模式的側面図である。
【図７Ａ】係止部の側面図である。
【図７Ｂ】係止部をＢＬシャーシの開口縁部に取り付けた状態を示す平面図である。
【図８Ａ】係止部及び孔を示す模式的側面図である。
【図８Ｂ】係止部の斜視図である。
【図８Ｃ】係止部の取り付け構造を示す模式的側面図である。
【図９】光学シート、導光フィルム、及びＢＬシャーシを示す模式的側面図である。
【発明を実施するための形態】
【００２６】
実施の形態１．
図１は本発明の実施の形態１に係る表示装置（表示モジュール）２を備えるＴＶ受信機１の前側の外観斜視図、図２は表示モジュール２の分解斜視図、図３ＡはＢＬシャーシ２８の開口縁部及び光学シート２４を示す模式的側面図、図３Ｂは孔２４１の縁部に係止部２９が係止された状態を示す一部拡大図、図４Ａは係止部２９の平面図、図４Ｂは係止部２９の孔２４１に対する係止状態を示す模式的側面図、図５Ａは係止部２９の側面図及びＢＬシャーシ２８の一部側面図、図５Ｂは係止部２９の回転を説明するための説明図である。
【００２７】
ＴＶ受信機１は、横長であり、映像を表示する表示パネル２１を有する表示モジュール２と、アンテナ（不図示）から放送波を受信するチューナ５と、符号化された放送波を復号するデコーダ６とを備える。ＴＶ受信機１は、チューナ５にて受信した放送波をデコーダ６で復号し、復号した情報に基づいて表示モジュール２に映像を表示する。ＴＶ受信機１の下部には、ＴＶ受信機１を支持するスタンド７を設けてある。
【００２８】
表示モジュール２は、前後に縦姿勢で配置された前キャビネット３及び後キャビネット４に縦姿勢で収容されている。前キャビネット３は表示モジュール２の周縁部を覆う矩形状の枠体であり、中央に矩形の開口を有する。前キャビネット３は例えば合成樹脂からなる。後キャビネット４は、前側が開放された矩形のトレイ状をなし、例えば合成樹脂からなる。なお、前キャビネット３及び後キャビネット４は他の材料から構成してもよい。
【００２９】
前キャビネット３及び後キャビネット４の上下及び左右寸法は略同一であり、互いの周縁部分が対向する。表示パネル２１の周縁部分は前キャビネット３の内縁部分と対向している。
【００３０】
図２に示すように、表示モジュール２は、表示パネル２１と、ベゼル２２と、パネルシャーシ２３と、例えば３枚の光学シート２４と、拡散板２５と、反射シート２６と、拡散レンズ（ＬＥＤ内蔵）２７と、ＢＬシャーシ２８とを備える。
ＢＬシャーシ２８は例えばアルミニウム等の金属からなり、光出射面側（表示パネル２１側）に向けて開口する略箱型をなす。
ＢＬシャーシ２８の底面には、ＬＥＤを実装し、該ＬＥＤを拡散レンズ２７で覆ってなるＬＥＤ基板（不図示）が複数設けられており、拡散レンズ２７が露出する状態で、反射シート２６が載置されている。
拡散レンズ２７から少し間隔を隔てて、拡散板２５が配置され、拡散板２５の上側に、光学シート２４が配置されている。
光学シート２４、拡散板２５、反射シート２６、ＬＥＤ基板、及びＢＬシャーシ２８からバックライトユニットが構成される。本実施の形態に係るバックライトユニットは直下型である。
【００３１】
パネルシャーシ２３は枠状をなし、ＢＬシャーシ２８の外縁部に沿って配されるとともに光学シート２４の周縁部をＢＬシャーシ２８との間で挟んで保持する。
表示パネル２１は、複数のカラーフィルタを有するカラーフィルタ基板と、カラーフィルタ基板に対向して配置され、スイッチング素子である複数の薄膜トランジスタ（Thin Film Transistor）を有するアクティブマトリクス基板（ＴＦＴ基板）と、カラーフィルタ基板とアクティブマトリクス基板との間に表示媒体層として設けられた液晶層とを有する。
【００３２】
ベゼル２２は、例えばステンレス等の剛性に優れた金属からなり、断面視がＵ字状の枠体である。ベゼル２２は、Ｕ字の両端部に、表示パネル２１の周縁部と、パネルシャーシ２４と、光学シート２４の周縁部と、ＢＬシャーシ２８の開口縁部とを挟み込んだ形で配されている。
【００３３】
図３Ａに示すように、ＢＬシャーシ２８の開口縁部の上辺部分には、複数の係止部２９が長手方向に並設されている。
光学シート２４の上辺部分には、係止部２９に対応して、該係止部２９より大きく、矩形状をなす孔２４１が複数設けられている。
【００３４】
図４Ａに示すように、係止部２９は、平面形状が、横長の楕円を縦半分より少し面積が大きくなるようにカットした形状、すなわち砲弾状をなしている。係止部２９の平面形状が楕円状である場合、後述するように係止部２９を回転させたとき、係止部２９の孔２４１の上辺に当接する側と反対側の部分が孔２４１の下辺に当接するので、該部分をカットする必要がある。
【００３５】
図５Ａに示すように、係止部２９は、平面形状が砲弾状をなす、平板状の当接部２９１と、当接部２９１の裏面の一端部に設けられた軸部２９２と、当接部２９１の裏面の他端部に設けられ、平面視が球状をなす突起部２９３とを備える。軸部２９２は先細であり、長さは、突起部２９３の長さより長い。なお、当接部２９１の表面は平面状でなく、曲面状であってもよい。
ＢＬシャーシ２８の開口縁部には、軸部２９２を嵌合する第１嵌合孔２８１が設けられ、第１嵌合孔２８１の周りには、円弧状に、突起部２９３を嵌合する複数の第２嵌合孔２８２が設けられている。
図５Ｂに示すように、第１嵌合孔２８１に係止部２９の軸部２９２を遊嵌し、突起部２９３を適宜の第２嵌合孔２８２に嵌合して係止部２９の角度を調整した状態で、当接部２９１を押圧することにより、係止部２９がＢＬシャーシ２８に固定される。
【００３６】
係止部２９はＢＬシャーシ２８の開口縁部上に、横一列に並設されているが、図３Ａに示すように、該開口縁部が正面側に沿った場合、係止部２９は一直線上に並ばなくなる。
孔２４１は横一列に並んでおり、光学シート２４をＢＬシャーシ２８の開口縁部に重ね合わせたとき、孔２４１は係止部２９と比較して大きいので、孔２４１内に係止部２９が入らないことは回避されるが、孔２４１の縁部に当接していない係止部２９が存在することになる。この場合、光学シート２４の荷重が、孔２４１の上辺に当接している係止部２９に集中するので、破れ等の問題が生じることがある。
【００３７】
本実施の形態においては、孔２４１の縁部に当接していない係止部２９について、図３Ｂに示すように、該係止部２９の当接部２９１が該縁部に当接するように、上述の如く軸部２９２を浮かせ（遊嵌状態にし）、当接部２９１を回転させ、適宜の第２嵌合孔２８２に突起部２９３を嵌合させて固定する。図３Ｂの中央部の係止部２９は当接部２９１を回転させなくても、孔２４１の上辺に当接している。該係止部２９の両側の係止部２９は、図５Ｂにおける下から２番目の第２嵌合孔２８２に突起部２９３を嵌合させる。図３Ｂの両端部側の係止部２９は、図５Ｂにおける上から２番目の第２嵌合孔２８２に突起部２９３を嵌合させる。
図４Ｂに示すように、係止部２９の回転中心（軸部２９２の中心）は一直線上に並んでいないが、当接部２９１を回転させることで、いずれの係止部２９も、孔２４１の上辺に当接させることが可能になる。
全ての係止部２９が孔２４１の縁部に係止されているので、光学シート２４の自重（荷重）は、一部の係止部２９に集中せず、全ての係止部２９に分配され、光学シート２４は全ての係止部２９によって支持される。
【００３８】
以上のように、本実施の形態においては、ＢＬシャーシ２８の周縁部の反り、及び誤差により、係止部２９が孔２４１の縁部からずれている場合に、係止部２９の傾斜角度を調整することで、係止部２９を孔２４１の縁部に確実に当接させ、係止部２９に光学シート２４を係止させることができる。従って、光学シート２４にがたつき及び破断が生じず、不良の発生が抑制され、高精度に表示モジュール２が組み立てられ得る。
【００３９】
なお、本実施の形態においては、係止部２９に軸部２９２及び突起部２９３を備え、ＢＬシャーシ２８の開口縁部に第１嵌合孔２８１及び第２嵌合孔２８２を備える場合につき説明しているがこれに限定されるものではない。突起部２９３及び第２嵌合孔２８２は備えず、第１嵌合孔２８１に緩やかに係止部２９の軸部２９２を挿通し、当接部２９１が孔２４１の上辺に当接するように当接部２９１の傾きを決めた後、軸部２９２を第１嵌合孔２８１に押し入れ、軸部２９２を第１嵌合孔２８１に確実に嵌合して、係止部２９を固定することにしてもよい。この場合、きめ細かい角度調整が可能である。
【００４０】
また、ＢＬシャーシ２８の開口縁部の幅方向に、第１嵌合孔２８１を複数並設することにしてもよい。これにより、孔２４１が係止部２９より十分には大きくなく、開口縁部が反る等して係止部２９が孔２４１に入らなくなった場合に、係止部２９を孔２４１内に入れた上で、孔２４１の上辺に当接させることができる。そして、複数の第１嵌合孔２８１に対応して第２嵌合孔２８２を設けた場合、係止部２９のきめ細かい位置調整及び角度調整を行うことが可能になる。
【００４１】
さらに、係止部２９をＢＬシャーシ２８の開口縁部の上辺側に設け、孔２４１を光学シート２４の上辺部分に設ける場合には限定されない。係止部２９及び孔２４１を左辺部分及び右辺部分等に設けることにしてもよい。
【００４２】
そして、係止部２９はＢＬシャーシ２８の開口縁部に設ける場合に限定されるものではなく、ＢＬシャーシ２８の開口縁部以外の周縁部分に設けることにしてもよい。
【００４３】
実施の形態２．
本発明の実施の形態２に係る表示装置は、係止部２９の形状が異なること以外は、実施の形態１に係る表示装置と同様の構成を有する。
図６Ａは本発明の実施の形態２に係る係止部２９の平面図、図６Ｂは係止部２９の孔２４１に対する係止状態を示す模式的側面図である。
【００４４】
係止部２９の当接部２９１の平面形状は、五角形状をなす。
当接部２９１の裏面の最も長い辺の中央部寄りには、実施の形態１と同様に軸部２９２が設けられ、軸部２９２の横方向には突起部２９３が設けられている。
ＢＬシャーシ２８の開口縁部には、実施の形態１と同様に、軸部２９２を嵌合する第１嵌合孔（不図示）、及び突起部２９３を嵌合する第２嵌合孔（不図示）が設けられている。
第２嵌合孔は、第１嵌合孔２８１に軸部２９２を嵌合したとき、図６Ｂに示すように、当接部２９１の各辺が孔２４１の上辺に当接すべく、当接部２９１を回転させることが可能な位置に設けられている。
【００４５】
図６Ｂに示すように、係止部２９の当接部２９１は、「点」ではなく、「線」で孔２４１の上辺に当接するので、光学シート２４の荷重が分散され、光学シート２４がより破断されにくくなる。
【００４６】
実施の形態３．
本発明の実施の形態３に係る表示装置は、係止部２９の形状が異なること以外は、実施の形態１に係る表示装置と同様の構成を有する。
図７Ａは係止部２９の側面図、図７Ｂは係止部２９をＢＬシャーシ２８の開口縁部に取り付けた状態を示す平面図である。
係止部２９は、当接部２９１と、位置決め部２９４と、軸部２９２とを備える。当接部２９１は、実施の形態１に係る当接部２９１と同様に、平面形状が砲弾状をなす。当接部２９１の下部にはギア溝２９５が設けられ、位置決め部２９４の上部にはギア溝２９６が設けられている。当接部２９１のギア溝２９５と、位置決め部２９４のギア溝２９６とは、当接部２９１を位置決め部２９４に対し一方向に回転させて嵌合することはできるが、反対方向に回転させて嵌合することができないような形状をしている。
【００４７】
ＢＬシャーシ２８の開口縁部には実施の形態１と同様に、軸部２９２を嵌合する第１嵌合孔２８１が設けられている。
本実施の形態においては、軸部２９２を第１嵌合孔２８１に嵌合して、位置決め部２９４をＢＬシャーシ２８の開口縁部上に固定する。
そして、当接部２９１を、位置決め部２９４上の位置を決めた上で位置決め部２９４に嵌合して、固定する。
【００４８】
本実施の形態においては、当接部２９１を図７Ｂにおける左右のいずれの側にも傾けて、孔２４１の上辺に当接させることができる。
【００４９】
実施の形態４．
本発明の実施の形態４に係る表示装置は、係止部２９の形状が異なること以外は、実施の形態１に係る表示装置と同様の構成を有する。
図８Ａは係止部２９及び孔２４１を示す模式的側面図、図８Ｂは係止部２９の斜視図、図８Ｃは係止部２９の取り付け構造を示す模式的側面図である。
本実施の形態に係る係止部２９は、直方体状をなす支持部２９７と、楕円板状をなし、長径方向が支持部２９７の長手方向と一致する状態で、支持部２９７に重ね合わされた当接部２９１とを備える。そして、支持部２９７の長手方向の両端部には、三角柱状をなす突起部２９８，２９８が設けられている。
【００５０】
図８Ｃに示すように、ＢＬシャーシ２８の開口縁部には、支持部２９７、及び突起部２９８，２９８の平面形状を合わせた形状を有する嵌合孔２８３が上下方向に４つ設けられている。支持部２９７及び突起部２９８，２９８を適宜の位置の嵌合孔２８３に嵌合することにより、上下方向に４段階で、嵌合孔２８３から突出する当接部２９１の位置を変えることができる。
従って、ＢＬシャーシ２８の開口縁部が反る等して当接部２９１が孔２４１の上辺に当接しない場合に、支持部２９７の上下方向の位置を変えることで、図８Ａに示すように、当接部２９１を孔２４１の上辺に当接させることができる。
【００５１】
実施の形態５．
本発明の実施の形態５に係る表示装置は、エッジ型のバックライトユニットを有する表示装置である。
図９は、光学シート２４、導光フィルム３０、及びＢＬシャーシ２８を示す模式的側面図である。図９においては、表示パネル２１は省略している。
本実施の形態に係る表示装置は、ＢＬシャーシ２８の上端縁部側に、複数の係止部２９が設けられている。係止部２９は、実施の形態１に係る係止部２９と同様の構成を有する。
本実施の形態に係る表示装置は、厚みが薄い導光フィルム３０を有する。導光フィルム３０、及び光学シート２４は、夫々係止部２９に係止させるための孔２４１、及び孔３０１を備える。
ＢＬシャーシ２８の上端縁部には、第１嵌合孔２８１及び第２嵌合孔２８２が設けられている。
【００５２】
ＢＬシャーシ２８の上端縁部が正面側に沿った場合、係止部２９は一直線上に並ばなくなる。
孔２４１及び孔３０１は横一列に並んでおり、導光フィルム３０及び光学シート２４をＢＬシャーシ２８の上端縁部に重ね合わせたとき、孔３０１及び孔２４１は係止部２９と比較して大きいので、孔３０１及び孔２４１内に係止部２９が入らないことは回避されるが、孔３０１及び孔２４１の上辺に当接していない係止部２９が存在することになる。
このとき、実施の形態１と同様に、係止部２９の軸部２９２（不図示）を第１嵌合孔２８１に遊嵌した状態で、突起部２９３（不図示）を適宜の第２嵌合孔２８２に嵌合させて、当接部２９１を回転させることで、当接部２９１を孔３０１及び孔２４１の上辺に当接させることができる。
【００５３】
今回開示された実施の形態１〜５は、全ての点で例示であって、制限的なものではないと考えるべきである。本発明の範囲は、上述した意味ではなく、請求の範囲と均等の意味及び請求の範囲内での全ての変更が含まれることが意図される。
例えば実施の形態１〜４のＢＬシャーシ２８の係止部２９、及び光学シート２４の構成は、エッジ型のバックライトユニットを有する表示装置にも適用することが可能である。
【符号の説明】
【００５４】
１  ＴＶ受信機
２  表示モジュール
２１  表示パネル
２２  ベゼル
２３  パネルシャーシ
２４  光学シート
２４１  孔
２５  拡散板
２６  反射シート
２７  拡散レンズ
２８  ＢＬシャーシ
２８１  第１嵌合孔
２８２  第２嵌合孔
２８３  嵌合部
２９  係止部
２９１  当接部
２９２  軸部
２９３  突起部
２９４  位置決め部
２９５、２９６  ギア溝
２９７  支持部
２９８  突起部
３０  導光フィルム
３０１  孔
【図１】
2016084155.tif 000003
【図２】
2016084155.tif 000004
【図３Ａ】
2016084155.tif 000005
【図３Ｂ】
2016084155.tif 000006
【図４Ａ】
2016084155.tif 000007
【図４Ｂ】
2016084155.tif 000008
【図５Ａ】
2016084155.tif 000009
【図５Ｂ】
2016084155.tif 000010
【図６Ａ】
2016084155.tif 000011
【図６Ｂ】
2016084155.tif 000012
【図７Ａ】
2016084155.tif 000013
【図７Ｂ】
2016084155.tif 000014
【図８Ａ】
2016084155.tif 000015
【図８Ｂ】
2016084155.tif 000016
【図８Ｃ】
2016084155.tif 000017
【図９】
2016084155.tif 000018
【国際調査報告】
2016084155.tif 000019
2016084155.tif 000020